(57)【要約】【目的】  壁、台紙などの支持体に容易に固着可能な、レンチキュラーレンズを用いた画像の形成に適したインクジェット記録用記録媒体の提供。【解決手段】  複数の半円筒状または円弧状の細長い凸部が並列に配置された凸部面および裏面とを有するレンチキュラーレンズ層と、前記裏面上に形成されたインク吸収層とを少なくとも有してなり、インク吸収層側からインクジェット記録方法によって印字を行い画像が記録される記録媒体であって、片面または両面に接着層が設けられたシートの片面に貼り付けて用いられ、該シートと仮貼り可能な部分が設けられてなることを特徴とする記録媒体。【選択図】  図２
2007030420.tif 000002
【特許請求の範囲】
【請求項１】
複数の半円筒状または円弧状の細長い凸部が並列に配置された凸部面および裏面とを有するレンチキュラーレンズ層と、
前記裏面上に形成されたインク吸収層とを少なくとも有してなり、インク吸収層側からインクジェット記録方法によって印字を行い画像が記録される記録媒体であって、
片面または両面に接着層が設けられたシートの片面に貼り付けて用いられ、該シートと仮貼り可能な部分が設けられてなることを特徴とする、記録媒体。
【請求項２】
前記仮貼りが可能な部分が、記録媒体の一辺に、容易に分離可能な手段により連結されたシート部材である、請求項１に記載の記録媒体。
【請求項３】
前記片面または両面に接着層が設けられたシートが、前記記録媒体の仮貼り可能な部分と貼り付け可能な領域を有し、該領域が容易に分離可能な手段により前記シートに連結されてなる、請求項１または２に記載の記録媒体。
【請求項４】
前記片面または両面に接着層が設けられたシートの、前記記録媒体の仮貼り可能な部分と貼り付け可能な領域を除いた部分の大きさが、前記記録媒体と同一である、請求項３に記載の記録媒体。
【請求項５】
前記片面に接着層が設けられたシートが、はがきである、請求項４に記載の記録媒体。
【請求項６】
請求項１〜５のいずれか一項に記載の記録媒体に、立体画像または動画として観察される画像が形成された、記録物。
【発明の詳細な説明】
【発明の背景】
【０００１】
発明の分野
本発明は、レンチキュラーレンズを用いた立体画像または動画を、インクジェット記録方法により形成可能な記録媒体に関する。
【０００２】
背景技術
印刷された画像を立体的に見せたり、これに動きを与えたりするいわゆる３Ｄ印刷の技術の一つに、レンチキュラーレンズを用いた手法がある。レンチキュラーレンズとは、半円筒状または円弧状の細長い凸部を複数配列したレンズの集合体をいい、これを通して画像を見たとき、観察者の左右の眼にそれぞれ異なる画像を与えるようにすることで、画像が立体的に見えたり、動いてみえたりする。
このようなレンチキュラーレンズを用いた画像をインクジェット記録方法により形成する提案が既になされている（特開平８−１３７０３４号、特許文献１）。
【特許文献１】特開平８−１３７０３４号
【発明の概要】
【０００３】
本発明は、レンチキュラーレンズを用いた画像の形成に適し、はがき、壁、台紙などの支持体に容易に固着可能なインクジェット記録用記録媒体の提供を目的とするものである。
そして、本発明による記録媒体は、複数の半円筒状または円弧状の細長い凸部が並列に配置された凸部面および裏面とを有するレンチキュラーレンズ層と、前記裏面上に形成されたインク吸収層とを少なくとも有してなり、インク吸収層側からインクジェット記録方法によって印字を行い画像が記録される記録媒体であって、片面または両面に接着層が設けられたシートの片面に貼り付けて用いられ、該シートと仮貼り可能な部分が設けられてなることを特徴とするものである。
【発明の具体的説明】
【０００４】
レンチキュラーレンズ
本発明において用いられるレンチキュラーレンズは、半円筒状または円弧状の細長い凸部を複数配列したレンズの集合体（レンズアレイ）を意味し、レンチキュラーレンズは、半円筒状または円弧状の細長い凸部が複数並列に配置された凸部面と、該凸部の裏面とを有し、該裏面は実質的に平坦である。図１はレンチキュラーレンズが、立体画像または動画を形成可能な原理を示す模式図である。すなわち、レンチキュラーレンズ１は、半円筒状または円弧状の細長い凸部が複数並列に配置された凸部２が集合したものであり、凸部２の裏面３は実質的に平坦である。この裏面３に好ましくは接して右目用画像４と、左目用画像５とを形成する。すると、右目６からは右目用画像４が見え、左目７からは左目用画像５が見える。この右目用画像４と左目用画像５とを左右の眼の視差による像とすると、観察者には立体的な画像に見える。また、右目用画像と、左目用画像を、視線角度によって異なるものとして二種以上用意した場合には、角度によって異なる画像が見え、それら画像を連続する像とすることにより、動画に見える。
【０００５】
本発明による記録媒体は、このレンチキュラーレンズの層を備える。このレンチキュラーレンズ層は、レンチキュラーレンズの機能を備える限り、その材質は限定されないが、好ましくは樹脂、例えばＰＥＴ、ＰＥＴＧ、ＡＰＥＴ、ＰＰ、ＰＳ、ＰＶＣ、アクリル、ＵＶ硬化樹脂などが挙げられる。
【０００６】
記録媒体
本発明による記録媒体１０の基本構造は図２に示されるとおりである。図２において、レンチキュラーレンズ層１の裏面３の上にインク吸収層１１が設けられ、さらに好ましくはそのインク吸収層１１の上にインク透過層１２が設けられてなる。さらに、本発明による記録媒体には、仮貼り可能な部分１３が設けられてなる。本発明による記録媒体の仮貼り可能な部分１３の拡大図を図３として示す。図３に示される態様において、仮貼り可能な部分１３は、レンチキュラレンズ１とインク受容層１１との間に設けられた透明シート１４の一部として構成される。すなわち、透明シート１４はレンチキュラーレンズ１よりも大きいものであり、レンチキュラーレンズ１よりもはみ出した部分が１３とされる。さらに本発明の好ましい態様によれば、部分１３は、透明シート１４と容易に分離可能な手段１５（例えば、ミシン目、容易に折れる程度の厚さまでの切り込み等）によって結合されている。
【０００７】
本発明による記録媒体は、片面または両面に接着層が設けられたシートの片面に貼り付けて用いられる。片面または両面に接着層が設けられたシートの基本構成は図４に示されるとおりである。図４において、シート２０は、好ましくは本発明による記録媒体と同一の大きさのシート２１と、本発明による記録媒体の仮貼り可能な部分と貼り付けが可能な領域２２とを有する。本発明による記録媒体１０をシート２０に貼り付けようとするとき、まず本発明による記録媒体１０の部分１３と、シート２０の部分２２とを仮に貼り付け、その位置を調整する。すなわち、記録媒体１０とシート２１とがきれいに重なるよう、その位置を調整する。両者がきれいに重なる位置とすることができたならば、記録媒体１０とシート２１とを貼り付け、場合により記録媒体の部分１３とシート２０の部分２２とを切り取ると、記録媒体にきれいにシート２１を貼り付けることが出来る。このシート２１が片面に接着層が設けられたはがきや、台紙とすれば、記録媒体１０をずれることなく、きれいにはがきや台紙に貼り付けることが出来る。また、シート２１の両面に接着層を有するものとすれば、記録媒体１０をきれいにまた別の支持体、例えば、台紙や壁などに貼り付けることができる。
【０００８】
図５は、本発明の好ましい態様における、図４に示されるシート２０の部分２２に付近の拡大図である。シート２０は、基材シート３１と、接着層３２と、接着層３２を保護する剥離シート３３とから構成される。シート２０の部分２２は基材シート３１の延長部分３１ａと、その上の接着層３２ａと、接着層３２ａを保護する剥離シート３３ａとから構成される。本発明の好ましい態様によれば、この部分２２は、容易に分離可能な手段３４（例えば、ミシン目、容易に折れる程度の厚さまでの切り込み等）によってシート２０に結合されている。記録媒体１０の仮貼り可能部分１３とは、剥離シート３３ａを剥がして仮に貼り付け、位置決めした後、剥離シート３３を剥がして、記録媒体１０と貼り付ける。その後、必要に応じて、手段３４から部分２２を切り離す。本発明の好ましい態様によれば、図５に示されるとおり、シート２０は、基材シート３１のもう片面に、接着層３５および剥離シート３６を設けて、両面に接着層が設けれたものとして構成されてよい。この態様によれば、記録媒体１０をきれいに別の支持体、例えば、台紙や壁などに貼り付けることができる。
【０００９】
また、本発明による記録媒体は、図６に示されるように、容易に分離可能な手段６１により複数連結されて提供されてもよい。この態様の記録媒体のためには、片面または両面に接着層が設けられたシートも同様に容易に分離可能な手段によって複数連結されたものとされるのが好ましい。
【００１０】
本発明による記録媒体は、レンチキュラーレンズ層１とは反対側のインク透過層１２側からインクジェット記録方法によって記録が行われる。インクジェット記録方法によって吐出されたインク滴は、インク透過層１２に付着し、その中を浸透し、インク吸収層１１に至り、インク吸収層１１内、好ましくはレンチキュラーレンズ１の裏面３の極めて近傍で定着され、画像を形成する。画像は、レンチキュラーレンズにより立体画像または動画となるようにインクジェット記録方法により形成される。インク透過層１２は、実質的にインクを定着させず、インク吸収層１１にインク滴を導く機能、好ましくは極めて速やかに導く機能を有する。その結果、インクジェット記録方法により画像を記録した直後であっても、記録媒体１０の記録面、すなわちインク透過層１２の表面にはインクが残らず、手で触れることができる。
【００１１】
インク吸収層１１は、インクを定着でき、好ましくはレンチキュラーレンズ１の裏面３の極めて近傍にインクを定着させることができる組成であれば特に限定されないが、好ましくはアクリルあるいはメタアクリル系、塩化ビニル系、酢酸ビニル系、ナイロン、スチレン／アクリル系、スチレン／ブタジエン系、ポリスチレン／アクリル系、ポリスチレン／イソプレン系、メチルメタアクリレート／ブチルメタアクリレート系、メラミン系、ポリカーボネート系、尿素系、エポキシ系、ウレタン系、フェノール系、ジアリルフタレート系、ポリエステル系等の吸水性の樹脂、特に好ましくはカチオン性吸水性ポリマー、例えばジメチルアミノエチル（メタ）アクリレート、ジエチルアミノエチル（メタ）アクリレートなどのジアルキルアミノアルキル（メタ）アクリレートの中和塩または四級化物、ジメチルアミノメチル（メタ）アクリルアミド及びジメチルアミノプロピル（メタ）アクリルアミドなどのようなジアルキルアミノアルキル（メタ）アクリルアミドなど、アニオン性吸水性ポリマー、例えば（メタ）アクリル酸、２−アクリルアミド−２−メチルプロパンスルホン酸、ビニルスルホン酸、スチレンスルホン酸、イタコン酸、マレイン酸、フマル酸、アリールスルホン酸などが挙げられる。
【００１２】
また、インク吸収層１１は、吸水性または粒子吸着性の無機粒子を含んで構成されていてもよく、無機粒子の例としては、シリカ、カオリナイト、タルク、軽質炭酸カルシウム、重質炭酸カルシウム、ゼオライト、アルミナ、硫酸バリウム、カーボンブラック、酸化亜鉛、硫酸亜鉛、炭酸亜鉛、二酸化チタン、サチンホワイト、珪酸アルミニウム、ケイソウ土、珪酸カルシウム、水酸化アルミニウム、加水ハロイサイト、炭酸マグネシウム、水酸化マグネシウム等が挙げられる。これら無機粒子は、結着剤としての樹脂と組み合わせて層とされることが好ましい。結着剤の例としては、ポリエステル系樹脂、ポリウレタン樹脂、ポリエステルウレタン樹脂、アクリル系樹脂、メラミン樹脂、ポリビニルアルコール系樹脂、ポリビニルピロリドン、メチルセルロースなどを挙げることが出来る。また、上記した吸水性の樹脂と混合して、インク吸収層１１とされてもよい。
【００１３】
インク透過層１２は、インク吸収層１１にインク滴を導く機能を有する限り、その材質は特に限定されないが、好ましくは水非吸収性の多孔質構造とされる。この多孔質構造は粒子により構成されてよく、そのような粒子の例としては、シリカ、カオリナイト、タルク、炭酸カルシウム、ゼオライト、アルミナ、硫酸バリウム、カーボンブラック、酸化亜鉛、酸化チタン、有機白色顔料、ベンゾグアナミン粒子、架橋ポリスチレン、架橋アクリル粒子、水酸化アルミニウム等が挙げられる。これら粒子は、結着剤により固定され、多孔質構造とされてよく、結着剤の例としては、ポリエステル系樹脂、ポリアクリル系樹脂、ポリウレタン系樹脂、各種共重合体などが挙げられるが、水分を吸着量が少ないアクリル系樹脂、アクリル・スチレン共重合体等が挙げられる。
【００１４】
本発明の好ましい態様によれば、インク透過層１２は、インクの透過速度等を改善、調整するため、界面活性剤等を添加してもよい。
本発明の好ましい態様によれば、本発明による記録媒体は、インク透過層１２またはインク吸収層１１のいずれかまたは両方を非透明とすることで、背景が白色の記録媒体とすることができる。
また、本発明の一つの態様によれば、インク吸収層１１と、インク透過層１２との間に層を設けることも可能であり、例えば、両層の密着性を高めるための層などを設けてもよい。
【００１５】
本発明による記録媒体は、レンチキュラーレンズの裏面３上に、インク吸収層１１を構成する成分と、場合により結着剤とを適当な溶媒、例えば水、有機溶剤に溶解または分散した組成物を塗布して乾燥させ、さらにその上に、インク透過層１２を構成する成分と、結着剤とを適当な溶媒、例えば水、有機溶剤中に溶解または分散した組成物を塗布して乾燥させることによって製造することが出来る。
【図面の簡単な説明】
【００１６】
【図１】レンチキュラーレンズが、立体画像または動画を形成可能な原理を示す模式図。
【図２】本発明による記録媒体の基本構造を示す図。
【図３】図２の部分１３付近の拡大図である。
【図４】本発明による記録媒体に貼り付けられる片面または両面に接着層を有するシートの基本構造を示す図である。
【図５】図４の部分２２付近の拡大図である。
【図６】容易に分離可能な手段６１により複数連結された記録媒体を示す図である。
【符号の説明】
【００１７】
１  レンチキュラーレンズ層
２  半円筒状または円弧状の細長い凸部が複数配列した凸部
３  レンチキュラーレンズの裏面
４、５  右目または左目用画像
６、７  右目および左目
１１  インク吸収層
１２  インク透過層
２０  片面または両面に接着層が設けられたシート
【図１】
2007030420.tif 000003
【図２】
2007030420.tif 000004
【図３】
2007030420.tif 000005
【図４】
2007030420.tif 000006
【図５】
2007030420.tif 000007
【図６】
2007030420.tif 000008